(57)【要約】本発明はデータストリーム及びデータパケットの伝送方法及び装置を開示し、インターフェースデータ伝送技術分野に関する。前記方法において、ホームエンドは伝送すべきデータがデータストリームであるかデータパケットであるかを検出するステップと、検出結果が、データストリーム及びデータパケットが同時に存在するというものである場合に、データストリームを優先的に伝送するステップと、前記データストリームを伝送して終了した後、前記データパケットの伝送を行うステップとを含む。本発明は、データストリーム及びデータパケットが同時に存在する場合に、付加的な外部時間スケジューリング操作なしにデータストリームの効率的な伝送を実現でき、データ伝送の適時性を高め、インターフェース伝送の効率を向上させた。【選択図】図１
2016500237.tif 000002
【特許請求の範囲】
【請求項１】
伝送すべきデータがデータストリームであるかデータパケットであるかを検出するステップと、
検出結果が、データストリーム及びデータパケットが同時に存在するというものである場合に、データストリームを優先的に伝送するステップと、
前記データストリームを伝送して終了した後、前記データパケットの伝送を行うステップと、を含む
ことを特徴とするデータストリーム及びデータパケットの伝送方法。
【請求項２】
前記方法は、インターフェースリンク接続を確立するための制御文字をオポジットエンドへ送信することによって、前記オポジットエンドとの間のインターフェースリンク接続を確立するステップをさらに含む
ことを特徴とする請求項１に記載の方法。
【請求項３】
前記方法は、データストリームまたはデータパケットに対してパケット化処理を行い、データ伝送タイプを識別するための制御文字を挿入して、オポジットエンドに送信するステップをさらにを含む
ことを特徴とする請求項１または２に記載の方法。
【請求項４】
前記方法は、データパケット伝送過程において、伝送すべきデータストリームの存在を確定する時、現在データパケットの伝送を中断させ、前記データストリームを優先的に伝送し、前記データストリームを伝送して終了した後、前記データパケットの伝送を復元するステップをさらに含む
ことを特徴とする請求項３に記載の方法。
【請求項５】
前記方法は、前記オポジットエンドがデータパケット復帰を行うようにするために、前記伝送が中断されたデータパケットに前記データパケットが中断されたことを識別するための制御文字を挿入するステップをさらに含む
ことを特徴とする請求項４に記載の方法。
【請求項６】
前記方法は、
前記オポジットエンドからのデータを受信するステップと、
前記オポジットエンドのデータにおける制御文字に基づき、受信されたデータの伝送タイプを識別し、データストリームまたはデータパケットを解析するステップと、をさらに含む
ことを特徴とする請求項５に記載の方法。
【請求項７】
伝送すべきデータがデータストリームであるかデータパケットであるかを検出するように配置される伝送タイプ検出モジュールと、
検出結果が、伝送すべきデータストリーム及びデータパケットが同時に存在するというものである場合に、データストリームを優先的に伝送し、前記データストリームを伝送して終了した後、前記データパケットの伝送を行うように配置される衝突伝送処理モジュールと、を含む
ことを特徴とするデータストリーム及びデータパケットの伝送装置。
【請求項８】
前記装置は、インターフェースリンク接続を確立するための制御文字をオポジットエンドへ送信することによって、前記オポジットエンドとの間のインターフェースリンク接続を確立するように配置されるリンク確立と復元モジュールをさらに含む
ことを特徴とする請求項７に記載の装置。
【請求項９】
前記装置は、データストリームまたはデータパケットに対してパケット化処理を行い、データ伝送タイプを識別するための制御文字を挿入するように配置されるデータパケット化モジュールをさらに含む
ことを特徴とする請求項７または８に記載の装置。
【請求項１０】
前記装置は、
前記オポジットエンドからのデータを受信するように配置される受信モジュールと、
前記オポジットエンドのデータにおける制御文字に基づき、受信されたデータの伝送タイプを識別し、データストリームまたはデータパケットを解析するように配置されるパケット解析モジュールと、をさらに含む
ことを特徴とする請求項９に記載の装置。
【発明の詳細な説明】
【技術分野】
【０００１】
本発明はインターフェースデータ伝送技術分野に関し、特に、データストリーム及びデータパケットの伝送方法及び装置に関する。
【背景技術】
【０００２】
技術の絶え間がない発展に伴って、ユーザの高速度および高帯域に対する要求はますます高くなり、このため、ピアツーピアの間においてデータ伝送の安定性及び適時性に対する要求はますます高くなる。通常のデータ伝送モードは以下の２種類がある。一つは、データストリーム形式で伝送し、即ち、タイミングモードで、絶え間がなくてオポジットエンドにデータを送信する。有効データがなくても、無効データで送信し続ける。つまり、時間のタイミングモードで送信し、データが中途に中断または停止されることができない。もう一つは、データパケット形式で伝送し、即ち、タイミングモードでデータを伝送することではなく、データがあると送信し、データがないと送信せず、伝送がタイミングにより影響されない。
【０００３】
多くの場合に、ピアツーピアのインターフェース伝送において、１つのインターフェースを介してデータパケットおよびデータストリームを同時に伝送することを要求する場合がよく現れる。特に、通信分野では、上りまたは下りリアルタイムＩＱデータはいずれもデータストリーム形式で伝送されるが、その他の制御信号はデータパケット形式で伝送される。データストリームおよびデータパケットである２種類のデータが１つのインターフェースを介して伝送されれば、同時に伝送されると効率的な、安定なインターフェースが必要となる。これはインターフェースのデザイナーに対して大きな挑戦をもたらす。
【発明の概要】
【発明が解決しようとする課題】
【０００４】
本発明に係る実施例の目的は、主にピアツーピアの間のインターフェースにおいて同時にデータストリームとデータパケットが伝送されることに応用され、データ伝送効率が低い及び安定性が低い問題を効果的に解決するためのデータストリーム及びデータパケットの伝送方法及び装置を提供することにある。
【課題を解決するための手段】
【０００５】
本発明に係る実施例はデータストリーム及びデータパケットの伝送方法を提供し、この方法は、伝送すべきデータがデータストリームであるかデータパケットであるかを検出するステップと、検出結果が、データストリーム及びデータパケットが同時に存在するというものである場合に、データストリームを優先的に伝送するステップと、前記データストリームを伝送して終了した後、前記データパケットの伝送を行うステップとを含む。
【０００６】
好ましくは、前記方法はインターフェースリンク接続を確立するための制御文字をオポジットエンド（ｏｐｐｏｓｉｔｅ ｅｎｄ）へ送信することによって、前記オポジットエンドとの間のインターフェースリンク接続を確立するステップをさらに含む。
【０００７】
好ましくは、前記方法は、データストリームまたはデータパケットに対してパケット化処理を行い、データ伝送タイプを識別するための制御文字を挿入して、オポジットエンドに送信するステップをさらにを含む。
【０００８】
好ましくは、前記方法は、データパケット伝送過程において、伝送すべきデータストリームの存在を確定する時、現在データパケットの伝送を中断させ、前記データストリームを優先的に伝送し、前記データストリームを伝送して終了した後、前記データパケットの伝送を復元するステップをさらに含む。
【０００９】
好ましくは、前記方法は、前記オポジットエンドがデータパケット復元を行うようにするために、前記伝送が中断されたデータパケットに前記データパケットが中断されたことを識別するための制御文字を挿入するステップをさらに含む。
【００１０】
好ましくは、前記方法は、前記オポジットエンドからのデータを受信し、前記オポジットエンドのデータにおける制御文字に基づき、受信されたデータの伝送タイプを識別し、データストリームまたはデータパケットを解析することをさらに含む。
【００１１】
本発明に係る実施例は、データストリーム及びデータパケットの伝送装置をさらに提供し、この装置は、伝送すべきデータがデータストリームであるかデータパケットであるかを検出するように配置される伝送タイプ検出モジュールと、検出結果が、伝送すべきデータストリーム及びデータパケットが同時に存在するというものである場合に、データストリームを優先的に伝送し、前記データストリームを伝送して終了した後、前記データパケットの伝送を行うように配置される衝突伝送処理モジュールと、を含む。
【００１２】
好ましくは、前記装置は、インターフェースリンク接続を確立するための制御文字をオポジットエンドへ送信することによって、前記オポジットエンドとの間のインターフェースリンク接続を確立するように配置されるリンク確立と復元モジュールをさらに含む。
【００１３】
好ましくは、前記装置は、データストリームまたはデータパケットに対してパケット化処理を行い、データ伝送タイプを識別するための制御文字を挿入するように配置されるデータパケット化モジュールをさらに含む。
【００１４】
好ましくは、前記装置は、前記オポジットエンドからのデータソースを受信するように配置される受信モジュールと、前記オポジットエンドのデータにおける制御文字に基づき、受信されたデータの伝送タイプを識別し、データストリームまたはデータパケットを解析するように配置されるパケット解析モジュールと、をさらに含む。
【００１５】
従来の技術に比べると、本発明に係る実施例の有益な効果は以下のとおりである。本発明に係る実施例において、データストリーム及びデータパケットに対してそれぞれパケット化を行い、パケットヘッド情報によってこのパケットがデータストリームであるかデータパケットであるかを判断し、伝送すべきデータストリーム及びデータパケットが同時に存在する場合に、まずデータストリームを伝送し、データストリームを伝送して終了した後、データパケットを伝送し、これによってデータストリーム伝送の低遅延及び高安定性を保証した。
【００１６】
さらに、本発明に係る実施例において、データストリームがデータパケットの伝送を中断させる形態を用いてデータストリームのリアルタイム的な伝送を実現し、データストリームを伝送して終了した後、この前のデータパケットの伝送を復元でき、データストリームの効率的な伝送を実現するとともに、全体インターフェースデータ伝送のスループットを向上させた。
【図面の簡単な説明】
【００１７】
【図１】本発明に係る実施例により提供されるデータストリーム及びデータパケット伝送方法の実現フローを示す図である。
【図２】本発明に係る実施例により提供される制御文字の構成を示す図である。
【図３】本発明に係る実施例により提供されるインターフェースリンクの確立、ロック、及びアンロック後に再確立する実現フローを示す図である。
【図４】本発明に係る実施例により提供されるリンク確立後にデータ伝送を行う際のデータストリームとデータパケットのフォーマットを示す図である。
【図５】本発明に係る実施例により提供されるデータパケットとデータストリーム伝送の装置の構成を示す図である。
【発明を実施するための形態】
【００１８】
以下、図面を参照しながら本発明の最適的な実施例を詳細に説明するが、以下に記載の最適的な実施例はただ本発明の技術案を説明・解釈するためのものであって、本発明の保護範囲を限定するものではないことは理解されるべきである。
【００１９】
図１は本発明に係る実施例により提供されるデータストリーム及びデータパケットの伝送方法の実現フローを示す図であり、図１に示すように、前記方法は下記のステップ１０１〜１０３を含む。
【００２０】
ステップ１０１において、伝送すべきデータがデータストリームであるかデータパケットであるかを検出する。
【００２１】
ここで、ホームエンド（ｈｏｍｅ ｅｎｄ）はインターフェースリンク接続を確立するための制御文字をオポジットエンドへ送信することによって、ホームエンドとオポジットエンドとの間のインターフェースリンク接続を確立する。両端リンクが接続を確立した後、ホームエンドはデータストリーム及びデータパケットに対してそれぞれパケット化処理を行うとともに、制御文字によってこのパケット化のデータがデータストリームであるかデータパケットであるかを判断する。つまり、受信端でこれらパケット化された制御文字により送信端の様々な情報を正確に解析するようにするために、伝送データの制御文字によって、データパケットの形式を確定する。データストリームおよび／またはデータパケットの２種類のデータが１つのインターフェースを介して伝送されるように要求する場合に、まず、前記データの伝送タイプを検出し、即ち、データストリームであるかデータパケットであるか、あるいは２種類の伝送タイプのデータが同時に存在するかを検出する。
【００２２】
ステップ１０２において、検出結果が、データストリーム及びデータパケットが同時に存在するというものである場合に、データストリームを優先的に伝送する。
【００２３】
ここで、データストリーム及びデータパケットの２種類の伝送タイプのデータが１つのインターフェースを介して同時に伝送されるように要求する場合に、データストリームを優先的に伝送し、データストリームを伝送して終了した後、データパケットを伝送する。
【００２４】
データパケットを伝送する過程において、伝送すべきデータストリームが存在する時、現在データパケットの伝送を中断させ、前記データパケットが中断されたことを識別するための制御文字を前記伝送が中断されたデータパケットに挿入し、そして、前記データストリームを優先的に伝送し、前記データストリームを伝送して終了した後、前記中断されたデータパケットの伝送を復元する。
【００２５】
ステップ１０３において、前記データストリームまたはデータパケットを伝送して終了した後、別の伝送タイプのデータを伝送する。
【００２６】
ここで、ホームエンドはオポジットエンドのデータを受信してもよく、その中の制御文字に基づき、受信データの伝送タイプを識別し、データストリームまたはデータパケットを解析する。
【００２７】
本発明に係る実施例の応用場景はデバイスとデバイスのインターフェース相互接続を実現し、実現されたデータパケットとデータストリーム伝送機制はこの２つのソースのデータを衝突中断の形態でデータ交換を行うものであり、データストリームが比較的高いリアルタイム性を有するため、以下、図２〜４を参照しながら本発明に係る実施例を深く説明する。
【００２８】
図２は本発明に係る実施例により提供される制御文字の構成を示す図であり、図２に示すように、制御文字内容にデリミター、コマンドタイプ及び状態データが含まれる。
【００２９】
前記デリミターは、例えば８Ｂ／１０Ｂ符号化によるＫコードなどの所定の符合であって、データと異なる信号である。デリミターを識別することによってコマンドタイプ及び状態データの機能を知るようになる。つまり、前記デリミターはこのデータが制御文字であるかデータであるかを区分することに用いられる。
【００３０】
前記コマンドタイプはリンクロック状態の指示としてもよく、ホームエンドリンクアンロック、リンクロック及びリンクが準安定等の状態にあるように指示し、つまり、前記コマンドタイプは現在リンク状態を指示することに用いられる。
【００３１】
前記状態データは、伝送データのタイプ、データのパケットヘッド、データのパケットエンド、データが中断されるか否か等の機能を指示でき、ここで、前記伝送データのタイプはデータパケット及びデータストリームを含み、つまり、前記状態データが伝送データのパケットタイプ及びデータパケットが中断されるか否か等の情報を指示する。
【００３２】
ホームエンドが制御文字を送信する目的は、デリミターによって、オポジットエンドインターフェースがさらに素早く受信端の受信データを判断してオポジットエンド状態を確定し、最終的に、両端がデータを正確に受信できるか否か（以下、ロックと記載し、即ち、ロックするか否か）を確定するとともに、コマンドタイプにおけるあるキャラクタによって、ホームエンドの現在リンク状態、即ち、ホームエンドがロックされるか否かをオポジットエンドに知らせるようになる。
【００３３】
前記制御文字の機能は、後の伝送データの開始であるか前のデータの終了であるかを指示することをさらに含む。
【００３４】
さらに、前記制御文字はデータストリームにおける他の制御信号をキャリーしてもよく、例えば、データストリームは通信システムにおける上りまたは下りアンテナデータであると、このアンテナデータとともに送信されるものはフレーム周波数及びフレーム番号を含むことができ、そうすると、このフレーム周波数及びフレーム番号を制御文字にパケット化して伝送してもよい。
【００３５】
受信端がパケット化のデータを受信した後、制御文字を介してこのデータがデータストリームであるかデータパケットであるかを識別し、そしてこのデータを解析する。
【００３６】
パワーオンまたはリセットの後、インターフェースリンク接続を確立するための制御文字を送信することによって、両端インターフェースリンクを確立し、両端リンクをロックした後、アンロックが発生される場合、本発明に係る実施例はロックを復元する形態をさらに提供する。図３は本発明に係る実施例により提供されるインターフェースリンクの確立、ロック、及びアンロック後に再確立する実現フローを示す図であり、図３に示すように、リンク確立過程は合計５種類の状態を含み、それぞれアンロック状態３１、ホームエンドロック状態３２、オポジットエンドロック状態３３、ロック状態３４及び準安定状態３５である。
【００３７】
アンロック状態３１において、システムがパワーオンした後、アンロック状態に入る。この状態で、ホームエンドリンク及びオポジットエンドリンクがいずれもアンロック状態にあり、ロックを待つように指示する。この状態で、インターフェースリンク接続を確立する制御文字をデータチャンネルへ絶え間がなくて送信する。ホームエンドがロックされると、ホームエンドロック状態に入り、そうでないと、待ち続ける。
【００３８】
ホームエンドロック状態３２において、この状態で、インターフェースリンク接続を確立する制御文字をデータチャンネルへ送信し続け、この時の制御文字数はホームエンドのロックされた信号をオポジットエンドに通知することに用いられる。オポジットエンドロック信号を受信すると、オポジットエンドロック状態に入る。ホームエンドリンクがアンロックされると、再びアンロック状態に入り、そうでないと、待ち続ける。
【００３９】
オポジットエンドロック状態３３において、この状態で、連続的なホームエンドとオポジットエンドロック状態が閾値に達すると、ロック状態にスキップする。オポジットエンドがアンロックされると、ホームエンドロック状態に入り、そうでないと、待ち続ける。
【００４０】
リンクロック状態３４において、この状態で、リンクがデータを正常に受信・送信できる。この時、ホームエンドリンクの不安定を検出し、オポジットエンドから送信された制御文字はオポジットエンドの不安定または受信されたデータにミスがあることを通知すると、状態マシンが準安定にスキップする。
【００４１】
準安定状態３５において、この状態で、ホームエンドリンクの不安定を検出し、オポジットエンドから送信された制御文字はオポジットエンドの不安定または受信のデータにミスがあることを通知すると、状態マシンがアンロック状態にスキップし、そうでないと、特定クロックサイクルを待った後、このミスを検出できないと、ロック状態にスキップする。
【００４２】
図３に示すように、システムがインターフェースリンク接続を確立する実現フローは、以下のステップ３０１〜ステップ３１０を含む。
【００４３】
ステップ３０１において、システムがパワーオンまたはリセットされた後、ホームエンドがアンロック状態に入る。まず、ホームエンドリンクがロックされるか否かを検出し、いいえであると、ステップ３０２に移行し、そうでないと、ステップ３０３に移行する。
【００４４】
ステップ３０２において、ホームエンドリンクがロックされないと確定する場合に、アンロック状態にあり続け、ロックを待ち、そして制御文字を送信することによってホームエンドがロックされないことをオポジットエンドに告知する。
【００４５】
ステップ３０３において、ホームエンドリンクがロックされると確定する場合に、ホームエンドロック状態に入り、そして制御文字を送信することによってホームエンドが既にロックされたことをオポジットエンドに告知する。システムはホームエンドロック状態に入った後、ホームエンドリンクが正常であるか否かを検出し続け、いいえであると、ステップ３０４に移行し、そうでないと、ステップ３０５に移行する。
【００４６】
ステップ３０４において、ホームエンドリンクがロックされないと確定する場合に、システムはまたアンロック状態にある。
【００４７】
ステップ３０５において、ホームエンドロック状態に入った後、システムはオポジットエンドがロック状態であるか否かを判定する。つまり、オポジットエンドから送信されたデータを判断することによって、オポジットエンド状態がロックされるか否かを判定する。オポジットエンドもロックされると、オポジットエンドロック状態に入り、この時、両端リンクがいずれも既にロックされると考えられる。オポジットエンドロック状態に入る時、オポジットエンドがロックされるか否かを検出し続け、いいえであると、ステップ３０６に移行し、そうでないと、ステップ３０７に移行する。
【００４８】
ステップ３０６において、オポジットエンドリンクがロックされない時、ホームエンドロック状態に入る。
【００４９】
ステップ３０７において、ホームエンド及びオポジットエンドリンクがいずれもロックされた後、システムはリンクロック状態に入り、正常なデータを受信・送信できるとともに、ホームエンド及びオポジットエンドリンクのロック状態を検出する。システムはホームエンドロック状態がロックされないことを検出し、または、オポジットエンドデータのミスまたはオポジットエンドロック状態がロックされないことを検出すると、ステップ３０８に移行する。
【００５０】
ステップ３０８において、システムは準安定状態に入り、この時、リンクは依然として正常にデータを受信・送信するとともに、両端状態を検出し続ける。準安定はデータ伝送不安定の状態であって、データ伝送がミスを行う恐れがあるが、このミスが許されるものである。この状態で、データ伝送が安定の状態であると検出すれば、ステップ３０９に移行する。この状態で、リンクのアンロックまたはオポジットエンドデータのミスを検出すると、ステップ３１０に移行する。
【００５１】
ステップ３０９において、システムはリンクロック状態に入る。
【００５２】
ステップ３１０において、システムは初期状態、即ちアンロック状態に入る。アンロック状態で、システムは自動的に両端インターフェース状態を検出するとともに、上述したステップ３０２〜３０９により、インターフェースリンク接続を改めて確立する。
【００５３】
上述したステップ３０７〜ステップ３１０において、リンクを確立した後に、システムはホームエンドリンクの不安定を検出し、オポジットエンドから送信された制御文字はオポジットエンドの不安定または受信されたデータにミスがあることを告知し、この時、システムは準安定状態に入る。準安定状態で、システムは依然としてロック状態と同一であり、データを送信し続けるが、この時、ホームエンドリンクの不安定を検出し、オポジットエンドから送信された制御文字はオポジットエンドの不安定または受信したデータにミスがあることを告知すると、システムはアンロック状態に入る。アンロック状態で、システムは自動的に両端インターフェース状態を検出するとともに、ホームエンド及びオポジットエンドがロックされるか否かを上述したステップによって検出し、ロック状態に入る。アンロックの後に、システムは上位階層に警告信号を送信し、アンロック情況の送信をリンクに指示する。
【００５４】
図４は本発明に係る実施例により提供されるリンク確立後にデータ伝送を行う時のデータストリーム及びデータパケットのフォーマットを示す図であり、図４に示すように、仲裁メカニズムを設定することによって、データパケットとデータストリームを伝送する時、データストリームがデータパケットの伝送を中断することができる。データパケットが中断されると、制御文字にデータパケットが中断された情報を追加する。具体的には、データパケット及びデータストリームの２つのチャンネルのデータをそれぞれパケット化された後、アービタを設定し、この２つのチャンネルの要求を処理し、データストリームが比較的高い適時性を有し、アービタで処理される優先級が高く、データパケット化処理の優先級が低く、その伝送がデータストリームの伝送要求によって中断されることができる。
【００５５】
データは、アービタを通過した後、データストリームで伝送される時、このパケットデータをまだ伝送して終了していなければ、アービタが他のデータの要求を受けることができないことを要求する。即ち、データストリームが伝送される時にデータパケットにより中断されなく、前記データストリームを伝送して終了した後、アービタが次の要求を受ける。前記要求はデータストリームでよく、データパケットでもよい。両方が同時に要求すると、優先級によって、データストリームの要求を受ける。
【００５６】
データパケットの伝送過程中、データストリームがアービタに伝送要求を出すことが存在すると、アービタがデータストリーム伝送要求を受けるとともに、データパケットの伝送を中断し、中断されたデータパケットとデータストリームとの間に制御文字を挿入し、このデータパケットが中断されて伝送がまだ終了していないものであることを指示するとともに、データストリームを伝送して開始することを指示する。データストリームを伝送して終了した後、まだ終了していないデータパケットを伝送し続ける。送信端がパケット化と衝突処理を終了した後、コネクタを介してデータをオポジットエンドに伝送する。
【００５７】
受信端に受信メカニズムを設定し、制御文字を識別することによってデータパケット及びデータストリームを解析する。つまり、受信端にパケット解析モジュールを設置し、パケット解析モジュールはこのパケット化されたデータを受信した後、制御文字によってデータの伝送タイプを識別するとともに、データパケット及びデータストリームを解析する。
【００５８】
データパケット伝送が中断された場合に、解析されたデータパケットは伝送時に中断されたデータパケットのデータを完全なデータパケットに復元させるとともに、このデータパケットの開始及び終了のマークを復元させる。つまり、解析されたデータパケットは中断されたデータパケットであれば、これら分離されたデータパケットを収集して、元の完全なデータパケットを合併して復元する。
【００５９】
図５は本発明に係る実施例により提供されるデータパケット及びデータストリームの伝送装置の構成を示す図であり、図５に示すように、前記装置はリンク確立と復元モジュール５１、データパケット化モジュール５２、伝送タイプ検出モジュール５３、衝突伝送処理モジュール５４、受信モジュール５５及びパケット解析モジュール５６を含む。
【００６０】
前記リンク確立と復元モジュール５１は、インターフェースリンク接続を確立するための制御文字をオポジットエンドへ送信することによって、前記オポジットエンドとの間のインターフェースリンク接続を確立するように配置される。
【００６１】
ここで、前記リンク確立と復元モジュールは両端リンクの確立機能を実現し、リンクの不安定の時、リンク復元機能を提供する。
【００６２】
前記データパケット化モジュール５２は、データストリームまたはデータパケットに対してパケット化処理を行い、データ伝送タイプを識別するための制御文字を挿入するように配置される。
【００６３】
ここで、前記データパケット化モジュールはデータパケット及びデータストリームのパケット機能を実現するとともに、関連の制御文字を挿入する。
【００６４】
前記伝送タイプ検出モジュール５３は、伝送すべきデータがデータストリームであるかデータパケットであるかを検出するように配置される。
【００６５】
前記衝突伝送処理モジュール５４は、検出結果が、伝送すべきデータストリーム及びデータパケットが同時に存在するというものである場合に、データストリームを優先的に伝送し、前記データストリームを伝送して終了した後、前記データパケットの伝送を行うように配置される。
【００６６】
ここで、データストリーム伝送のリアルタイム性を向上させるために、データパケット伝送過程に、データストリームの優先伝送を実現し、即ち、データパケットの伝送時、データパケットを中断させる形態ことによって、データストリームを伝送する。
【００６７】
前記受信モジュール５５は、前記オポジットエンドからのデータを受信するように配置される。
【００６８】
前記パケット解析モジュール５６は、受信データにおける制御文字に基づき、受信されたデータの伝送タイプを識別し、データストリームまたはデータパケットを解析するように配置される。
【００６９】
ここで、前記パケット解析モジュールは受信端で、制御文字によってデータストリーム及びデータパケットを解析する。
【００７０】
上述したように、、本発明に係る実施例は以下の技術的効果を有する。
【００７１】
１、本発明に係る実施例は、データストリーム及びデータパケットが同時に存在する場合に、付加的な外部時間スケジューリング操作なしにデータストリームの効率的な伝送を実現できる。
【００７２】
２、本発明に係る実施例は、データストリーム及びデータパケットの伝送が衝突する場合に、データストリームがデータパケットを中断させる方案で、データストリームの適時性を大幅に強化させる。
【００７３】
３、本発明に係る実施例は制御文字の形態を用いてインターフェース伝送の効率を効果的に向上させる。
【００７４】
本発明に係る実施例により提出されたデータストリーム及びデータパケット伝送装置におけるリンク確立と復元モジュール５１、データパケット化モジュール５２、伝送タイプ検出モジュール５３、衝突伝送処理モジュール５４、受信モジュール５５及びパケット解析モジュール５６はいずれもサーバまたは端末のプロセッサによって実現されてもよく、無論、具体的な倫理回路によって実現されてもよく、例えば、実際の応用において、プロセッサは中央処理装置（ＣＰＵ）、マイクロプロセッサ（ＭＰＵ）、デジタルシグナルプロセッサ（ＤＳＰ）または現場でプログラム可能なゲートアレイ（ＦＰＧＡ）等が挙げられる。
【００７５】
以上は、本発明の最適的な実施例に過ぎなく、本発明を制限せず、本分野の当業者にとって、本発明が各種類の変更と変化がある。本発明の主旨精神と原則以内に、いかなる改修、同等入れ替わり、改良等が、本発明の保護範囲以内に含まれるべきである。
【産業上の利用可能性】
【００７６】
本発明に係る実施例は、伝送すべきデータがデータストリームであるかデータパケットであるかを検出し、検出結果が、データストリーム及びデータパケットが同時に存在するというものである場合に、データストリームを優先的に伝送し、前記データストリームを伝送して終了した後、前記データパケットの伝送を行うことによって、データストリーム伝送の低遅延及び高安定性を保証した。さらに、本発明に係る実施例はデータストリームがデータパケットの伝送を中断させる形態を用いてデータストリームのリアルタイム伝送を実現し、データストリームを伝送して終了した後、この前のデータパケットの伝送を復元でき、データストリームの効率的な伝送を実現するとともに、インターフェースデータ全体の伝送スループットを向上させた。
【図１】
2016500237.tif 000003
【図２】
2016500237.tif 000004
【図３】
2016500237.tif 000005
【図４】
2016500237.tif 000006
【図５】
2016500237.tif 000007
【国際調査報告】
2016500237.tif 000008
2016500237.tif 000009
2016500237.tif 000010
2016500237.tif 000011